(57)【特許請求の範囲】
【請求項１】
ダクト用換気扇を形成するボディの開口を覆うように前記ボディに着脱自在に取り付けられ、中央部に形成された略矩形状の通気用開口の一部を覆う一対の風量調節板を具備する化粧パネルであって、
前記通気用開口の縁部にバネ保持片が設けられ、前記通気用開口に設置された複数の格子のうちの所定の格子に前記バネ保持片に平行なリブが設けられ、前記バネ保持片が設けられた面で前記通気用開口の隅部の近くに調節板係り突起が形成され、
前記風量調節板が板材であって、通風不能な調節板本体と、該調節板本体につながる一対の調節板重なり部と、該一対の調節板重なり部に挟まれ、通風自在な調節板通風部と、前記調節板本体の角部に列状に形成された複数の調節板係り孔とを有し、
前記一対の風量調節板が前記通気用開口に設置された際、前記一対の風量調節板のそれぞれの前記調節板重なり部の一部が互いに重なると共に、前記重なった範囲の一部は、前記バネ保持片と前記リブとの間で、前記バネ保持片に形成されたバネ保持片フランジおよび前記リブに形成されたリブフランジによって浮きが抑えられ、かつ、前記複数の調節板係り孔のうちの何れかに前記調節板係り突起が侵入することを特徴とする化粧パネル。
【請求項２】
風量調節板が黒色樹脂によって形成されていることを特徴とする請求項１記載の化粧パネル。
【請求項３】
送風機が収納され、開口部を具備するボディと、該ボディの側面に設置された排気用のダクト接続枠と、該排気用のダクト接続枠に連通した排気用のダクトと、前記開口部を覆うように取り付けられた請求項１または２に記載された化粧パネルとを有することを特徴とするダクト用換気扇。
【請求項４】
前記ボディの側面に設置された吸気用のダクト接続枠と、該吸気用のダクト接続枠に連通した吸気用のダクトと、該吸気用のダクトに連通する副吸込み用通気用開口を具備する副吸込み用化粧パネルとを有することを特徴とする請求項３記載のダクト用換気扇。
【請求項５】
前記化粧パネルおよび前記副吸込み用化粧パネルが樹脂によって形成されていることを特徴とする請求項４記載のダクト用換気扇。
【発明の詳細な説明】
【技術分野】
【０００１】
本発明は化粧パネルおよびダクト用換気扇に関する。
【背景技術】
【０００２】
従来、一度に多数の室内の空気を排気できる多室用のダクト用換気扇は、本体に装着された室内から排気するための化粧パネルと、本体が設置された室内以外（他室）から同時排気が可能な副吸込み用化粧パネルとを有している。
このような多室用のダクト用換気扇は、本体化粧パネルが副吸込み用化粧パネルよりも通気用開口面積が大きく、さらに、本体に設置された排気用のファンは本体化粧パネルに近いことから、吸引力が強くなっている。このため、本体化粧パネルからの空気の吸込み量が、副吸込み用化粧パネルからの空気の吸込み量より多くなり、副吸込み用化粧パネルからの吸込み量が極端に少ない、もしくはほとんど吸い込まれない場合がある。
【０００３】
そのため、本体化粧パネルからの吸込み量を抑制するために、多室用のダクト用換気扇の本体化粧パネルには風量調節板が設置されている。風量調節板は、化粧パネルに形成された保持ピンに圧入気味に引っ掛かるように保持され、本体化粧パネルの通気開口部の面積を調節し、副吸込み用化粧パネルからの空気の吸込み量を確保する発明が開示されている（例えば、特許文献１参照）。
【先行技術文献】
【特許文献】
【０００４】
【特許文献１】特開平８−１１４３４４号公報（第４−５頁、図１）
【発明の概要】
【発明が解決しようとする課題】
【０００５】
前記特許文献１に開示された発明は、風量調節板の一部に折曲げ可能部を設け、折曲げ可能部を折り曲げることによって、通気開口部の面積を調節可能にしている。
しかしながら、風量調節板は、本来通気経路となる本体化粧パネルの通気開口の上に取付けられているため、前記保持ピンでは十分に保持しれきれず、本体化粧パネルの保持ピンから遠い位置から風量調節板の「浮き」が発生してしまう場合がある。
そのため風量調節板の「ばたつき」による騒音が発生するという問題や、他室（副吸込み用化粧パネルが設置されている室内）から適正な排気風量が確保できないという問題が発生している。また、風量調節板の近傍でファンが回転しているため、風量調節板の破損やダクト用換気扇の故障をもたらす可能性があるという問題があった。
【０００６】
そして、風量調節板の「浮き」を抑制する手段として、テープで固定するなどの対策を講じていた。
しかしながら、テープによる固定をすることでコストアップとなり、また風量調節のため、テープの取外しを繰り返すことでテープの粘着性が落ち、風量調節板を固定しきれなくなるという可能性もあり、信頼性に欠けていた。
【０００７】
本発明は、上記に鑑みてなされたものであって、テープを用いることなく、風量調節板の「浮き」を抑制することができる風量調節板固定機構を有する化粧パネルを提供すること、およびかかる化粧パネルを有するダクト用換気扇を提供することを目的とする。
【課題を解決するための手段】
【０００８】
本発明に係る化粧パネルは、ダクト用換気扇を形成するボディの開口を覆うように前記ボディに着脱自在に取り付けられ、中央部に形成された略矩形状の通気用開口の一部を覆う一対の風量調節板を具備する化粧パネルであって、前記通気用開口の縁部にバネ保持片が設けられ、前記通気用開口に設置された複数の格子のうちの所定の格子に前記バネ保持片に平行なリブが設けられ、前記バネ保持片が設けられた面で前記通気用開口の隅部の近くに調節板係り突起が形成され、前記風量調節板が略凹字状の板材であって、調節板通風部を挟むように形成された調節板重なり部と、該調節板重なり部につながる調節板本体と、該調節板本体の角部に列状に形成された複数の調節板係り孔とを有し、前記一対の風量調節板が前記通気用開口に設置された際、前記一対の風量調節板のそれぞれの前記調節板重なり部の一部が互いに重なると共に、前記重なった範囲の一部は、前記バネ保持片と前記リブとの間で、前記バネ保持片に形成されたバネ保持片フランジおよび前記リブに形成されたリブフランジによって浮きが抑えられ、かつ、前記複数の調節板係り孔のうちの何れかに前記調節板係り突起が侵入することを特徴とする。
【発明の効果】
【０００９】
本発明によれば、バネ保持片フランジとリブフランジとによって、風量調節板の浮きを抑制することができるから、固定に使用していたテープ部品等が不要になることによって、コストの抑制が可能となる。また、複数回の取外しに左右されずに、風量調節板の浮きを抑制し続けることができるため、風量調節板を繰返し取外し後も、風量調節板の破損を防止し、風量調節板の「ばたつき」による騒音発生を抑制することができる。さらに、多室用のダクト用換気扇に設置すれば、風量調節板が確実に保持され続けるため、他室からの吸込み風量を適正に保ち続けることができる。
【図面の簡単な説明】
【００１０】
【図１】本発明の実施の形態１にかかる化粧パネルを説明する風量調節板がない状態で本体取付け面側から見た外観を示す斜視図。
【図２】図１に示す化粧パネルの風量調節板の外観を示す斜視図。
【図３】図１に示す化粧パネルに風量調節板を取付けた状態（通気用開口面積が最も狭い状態）を本体取付け面側から見た外観を示す斜視図。
【図４】図１に示す化粧パネルに風量調節板を取付けた状態（通気用開口面積が最も広い状態）を本体取付け面側から見た外観を示す斜視図。
【図５】図１に示す化粧パネルの格子上のリブに形成されたリブフランジとバネ保持片に形成されたバネ保持片フランジと風量調節板との関係を拡大して示す斜視図。
【図６】本発明の実施の形態２にかかるダクト用換気扇の概略構成を示す断面図。
【発明を実施するための形態】
【００１１】
以下に、まず、実施の形態１として化粧パネルを図面に基づいて詳細に説明し、その後で、実施の形態２としてダクト用換気扇を図面に基づいて詳細に説明する。なお、各図において、同じ部分または対応する部分には同じ符号を付し、一部の説明を省略する。また、同一形状の複数の部位においては符号に付した添え字「ａ、ｂ、ｃ、ｄ」の記載を省略して説明する場合がある。さらに、本発明は、実施の形態１、２で説明された形態に限定されるものではない。
【００１２】
［実施の形態１：化粧パネル］
図１〜図５は本発明の実施の形態１にかかる化粧パネルを説明するものであって、図１は化粧パネルを風量調節板がない状態で本体取付け面側から見た外観を示す斜視図、図２は風量調節板の外観を示す斜視図、図３は２枚の風量調節板を取付けた状態で、通気用開口面積が最も狭い状態を本体取付け面側から見た外観を示す斜視図、図４は２枚の風量調節板をスライドして通気用開口面積が最も広い状態を本体取付け面側から見た外観を示す斜視図、図５は化粧パネルの格子上のリブに形成されたリブフランジおよびバネ保持片に形成されたバネ保持片フランジと風量調節板との関係を拡大して示す斜視図である。
【００１３】
（化粧パネル）
図１〜図５において、化粧パネル３１は矩形状の略平板であって、ダクト用換気扇１００の、フランジ１８に覆いかぶさって、ボディ２１の開口を塞ぐようにファンケーシング２２に捩りバネ４２によって着脱可能に吊支持されている（図６参照、これについては別途詳細に説明する）。
【００１４】
（捩りバネ）
捩りバネ４２ａ、４２ｂ（以下、符号の添え字「ａ、ｂ」の記載を省略する）は、コイル部４３とコイル部４３の両端からそれぞれＶ字状に開いた二本の係止腕部４４が延びるように形成され、コイル部４３を挟んで対向する一対の係止腕部４４が捩りバネ４２として機能している。
捩りバネ４２は、ダクト用換気扇１００のファンケーシング２２に形成された係止部２６に係止されることによって、化粧パネル３１にファンケーシング２２の方向に付勢する引っ張り力を付与することができる。したがって、化粧パネル３１は、捩りバネ４２の引っ張り力によって、さまざまな厚みの異なる天井材に取付けることが可能となる。また、係止腕部４４を係止部２６に係止させる構造の吊支持であるため、化粧パネル３１の着脱も容易になっている（図６参照、これについては別途詳細に説明する）。
【００１５】
（バネ保持片）
化粧パネル３１の本体取付け面（天井に設置された際の上側の面）には、それぞれ外縁と平行にバネ保持片５０ａ、５０ｂ、５０ｃ、５０ｄが突設されている。なお、バネ保持片５０ａ、５０ｂ、５０ｃ、５０ｄは何れも同じ形状であるため、以下、共通する内容の説明においては、符号の添え字「ａ、ｂ、ｃ、ｄ」の記載を省略する。
バネ保持片５０は、捩りバネ４２を取り付ける取付部として機能するものであって、互いに平行に配置された外側保持片５１および内側保持片５３であって、それぞれには固定ピン４５が貫通する貫通孔５２、５４が形成され、内側保持片５３の内側にはバネ保持片フランジ５５が形成されている。
したがって、外側保持片５１と内側保持片５３との隙間に捩りバネ４２のコイル部４３を配置し、コイル部４３に固定ピン４５を挿通することにより、捩りバネ４２は化粧パネル３１に取付けられている。
【００１６】
なお、図１、３、４において、バネ保持片５０ａ、５０ｂに固定ピン４５ａ、４５ｂによって捩りバネ４２ａ、４２ｂが取り付けられているが、バネ保持片５０ａ、５０ｂに代えて、バネ保持片５０ｃ、５０ｄに取り付け位置を変更することで化粧パネル３１の取付け方向を９０度回転することができる。
【００１７】
（調節板係り突起）
また、化粧パネル３１の中央には、空気を通過させる通気用開口３２が形成され、通気用開口３２は矩形であって、複数の格子４６が互いに平行に並べて形成され、意匠性（デザイン）を担保している。化粧パネル３１の通気用開口３２の周囲で四隅に、調節板係り突起３３ａ、３３ｂ、３４ａ、３４ｂが立設されている。
【００１８】
（リブ）
さらに、化粧パネル３１の所定の格子４６の本体取付け面（天井に設置された際の上側の面）には、バネ保持片５０ｃ、５０ｄ（正確には、内側保持片５３ｃ、５３ｃ）に平行なリブ５６ｃ、５６ｄが設けられている。このとき、バネ保持片５０ｃとリブ５６ｃとの距離は、バネ保持片５０ｄとリブ５６ｄとの距離に等しく、後記する風量調節板６０の調節板重なり部６２の幅よりも僅かに大きくなっている。
また、バネ保持片５０ｃに形成されたバネ保持片フランジ５５ｃに対向して、リブ５６ｃにリブフランジ５７ｃが形成され、バネ保持片５０ｄに形成されたバネ保持片フランジ５５ｄに対向して、リブ５６ｄにリブフランジ５７ｄが形成されている。
【００１９】
（風量調節板）
図２において、化粧パネル３１の本体取付け面（天井に設置された際の上側の面）には、通気用開口３２の面積を調整するための同一形状の二枚の例えば樹脂製の風量調節板６０ａ、６０ｂが配置されている。なお、風量調節板６０ａ、６０ｂは何れも同じ形状であるため、風量調節板６０ｂの図示を省略し、共通する内容の説明においては、符号の添え字「ａ、ｂ」の記載を省略する。
風量調節板６０は、略凹字状の板材であって、調節板通風部６１の両側に位置する一対の調節板重なり部６２と、調節板重なり部６２に連続した調節板本体部６３と、調節板本体部６３の調節板重なり部６２とは反対側の隅部に形成された調節板係り孔６４と、調節板本体部６３の調節板通風部６１に対向した縁に形成された調節板逃げ部６６とを、有している。調節板係り孔６４、６５は互いに所定の間隔を空けて列状に複数（例えば、４個所）形成されている。
【００２０】
（風量調節板の配置）
図３において、風量調節板６０ａは調節板通風部６１ａから最も遠い位置にある調節板係り孔６４ａ、６５ａに化粧パネル３１の調節板係り突起３３ａ、３４ａが挿入され、風量調節板６０ｂは調節板通風部６１ｂから最も遠い位置にある調節板係り孔６４ｂ、６５ｂに化粧パネル３１の調節板係り突起３３ｂ、３４ｂが挿入され、風量調節板６０ａの調節板重なり部６２ａの比較的広い範囲と風量調節板６０ｂの調節板重なり部６２ｂの比較的広い範囲とが重なっている。このとき、前記重なった範囲は、内側保持片５３ｃとリブ５６ｃとの間、および内側保持片５３ｄとリブ５６ｄとの間にそれぞれ侵入し、リブフランジ５７ｃとバネ保持片フランジ５５ｃとによって、およびリブフランジ５７ｄとバネ保持片フランジ５５ｄとによって、それぞれ浮き上がり不能に抑えられている。
【００２１】
図４において、風量調節板６０ａは調節板通風部６１ａに最も近い位置にある調節板係り孔６４ａ、６５ａに化粧パネル３１の調節板係り突起３３ａ、３４ａが挿入され、風量調節板６０ｂは調節板通風部６１ｂに最も近い位置にある調節板係り孔６４ｂ、６５ｂに化粧パネル３１の調節板係り突起３３ｂ、３４ｂが挿入され、図３と同様に、風量調節板６０ａの調節板重なり部６２ａの比較的広い範囲と風量調節板６０ｂの調節板重なり部６２ｂの比較的広い範囲とが重なっている。このとき、前記重なった範囲は、内側保持片５３ｃとリブ５６ｃとの間、および内側保持片５３ｄとリブ５６ｄとの間にそれぞれ侵入し、リブフランジ５７ｃとバネ保持片フランジ５５ｃとによって、およびリブフランジ５７ｄとバネ保持片フランジ５５ｄとによって、それぞれ浮き上がり不能に抑えられている。
なお、風量調節板６０ａ、６０ｂには調節板逃げ部６６ａ、６６ｂが形成されているから、風量調節板６０ａ、６０ｂがバネ保持片５０ａ、５０ｂと干渉することがない。
【００２２】
したがって、化粧パネル３１の調節板係り突起３３、３４が挿入され調節板係り孔６４、６５の位置を選定することによって、調節板重なり部６２ａと調節板重なり部６２ｂとの重なり量を調整することができるから、調節板通風部６１ａと調節板通風部６１ｂとによって形成される通気用開口３２の実質的な面積を変更することができる。よって、簡単な作業によって、化粧パネル３１からの吸込み風量を容易に変更することできる。
【００２３】
以上のように、風量調節板６０ａ、６０ｂは、工具などを用いることなく、通気用開口３２の四隅に設けられた調節板係り突起３３、３４から取り外すことができ、また、引き掛け作業のみで容易に着脱可能である。また、取付けも２枚の同一形状の風量調節板６０ａ、６０ｂであるため、間違った取付けが回避される構造になっている。
さらに、風量調節板６０ａ、６０ｂは例えば黒色であるため、風量調節板６０ａ、６０ｂの取付け状態においても室内から見て目立ち難く、意匠性を損なうことはない。
【００２４】
風量調節板６０ａ、６０ｂ（調節板通風部６１ａ、６１ｂ）は、化粧パネル３１に形成されたバネ保持片５０ａ、５０ｂと最も通気量のあるファン直下部に位置する開口部を避ける形状となっており、２枚の風量調節板６０ａ、６０ｂは一対の相対する２個所に設けられたバネ保持片５０ｃとリブ５６ｃとの間、およびバネ保持片５０ｄとリブ５６ｄとの間でそれぞれ一部が重なっている。
【００２５】
このように、風量調節板６０ａ、６０ｂは調節板重なり部６２ａ、６２ｂが重なり合うことで、剛性が上がり、風量調節板６０ａ、６０ｂは浮き上がり難くなっている。
また、調節板重なり部６２ａと調節板重なり部６２ｂとの重なり範囲は、リブフランジ５７ｃとバネ保持片フランジ５５ｃとの下側、およびリブフランジ５７ｄとバネ保持片フランジ５５ｄとの下側にそれぞれ潜り込むように配置されているから、風量調節板６０ａ、６０ｂに浮きが発生した場合でも、リブフランジ５７およびバネ保持片フランジ５５に接触して浮き上がりが抑制される。よって、従来使用していたテープによる固定は不要となり、部品点数削減によってコストを抑制することができる。
【００２６】
また、テープによる固定に比べ、複数回の風量調節板６０ａ、６０ｂの取外しにも左右されず、風量調節板６０ａ、６０ｂを保持することができるため、風量調節板６０ａ、６０ｂの「ばたつき」による騒音発生が抑制され、さらに、風量調節板６０ａ、６０ｂが確実に保持され続けるため、吸込み風量を適正に保ち続けることができ品質の向上を図ることができる。
【００２７】
［実施の形態２：ダクト用換気扇］
図６は本発明の実施の形態２にかかるダクト用換気扇の概略構成を示す断面図である。
図６において、ダクト用換気扇１００は、換気する空気を流通させる換気駆動体である多翼式送風機１５と、この多翼式送風機１５を収納し、風路形成を目的とするファンケーシング２２とを有している。多翼式送風機１５は、モーター１６と、このモーター１６の駆動軸に差込結合されたファン１７とから構成されている。
【００２８】
ダクト用換気扇１００は、ボディ(本体)２１と、ダクト接続枠２３ａ、２３ｂとを有する。特に、多室用であるダクト用換気扇１００は他室吸込み用のダクト接続枠２３ａと、排気用のダクト接続枠２３ｂの２個のダクト接続枠を有している。
他室吸込み用のダクト１３ａは配管であって、他室（図示しない）に通じており、ダクト１３ａは副吸込み用化粧パネル７０から吸い込んだ空気の通気経路となっている。
ダクト接続枠２３ａ、２３ｂは、ボディ２１の側部に設けられ、ボディ２１の側面から直角方向に延び、吐出口１２がダクト１３ａに、吸込み口１４がダクト１３ｂにそれぞれ連通する位置にまで延長する段付きの構成となっている。
【００２９】
ダクト接続枠２３ａ、２３ｂの外形は、径の異なる段状に形成されている。これは、配管するダクト１３ａ、１３ｂの径が異なってもダクト接続枠２３ａ、２３ｂに接続できることや、ダクト１３ａ、１３ｂとダクト接続枠２３ａ、２３ｂとの隙間へのテーピングの作業性を考慮したものである。
【００３０】
ダクト接続枠２３ａ、２３ｂの内には、電動又は風圧によって開閉するシャッター２４ａ、２４ｂがそれぞれ設けられている。シャッター２４ａ、２４ｂはダクト用換気扇１００の運転時には風圧で開いてダクト接続枠２３ａ、２３ｂを開放し、停止時にはシャッター２４ａ、２４ｂの自重でダクト接続枠２３ａ、２３ｂを閉鎖する。
【００３１】
このように、シャッター２４ａ、２４ｂを設けることで、ダクト用換気扇１００の停止時に屋外からの外風や他室からの空気の流入を防止することができる。なお、排気用のダクト１３ｂは、屋外まで延びており建物の屋外外壁に備えたフード等（何れも図示しない）に連通し、住宅内の空気を換気する換気風路を形成している。
【００３２】
ボディ２１は、一面(設置状態における下面)を開口した箱型に形成されている。ボディ２１の開口側には、ボディ２１を天井にネジ固定するためのネジ穴が形成されたフランジ(縁部)１８が備えられている。
【００３３】
（化粧パネル）
本体化粧パネル３０は実施の形態１において説明した化粧パネル３１である。すなわち、矩形状の略平板であって、ダクト用換気扇１００の、フランジ１８に覆いかぶさって、ボディ２１の開口を塞ぐようにファンケーシング２２に捩りバネ４２によって着脱可能に吊支持されている。なお、本体化粧パネル３０は実施の形態１において説明した化粧パネル３１に同じであるから、説明を省略する。
また、副吸込み用化粧パネル７０が他室に設置され、副吸込み用化粧パネル７０の中央に形成され、空気を通過させる副吸込み用通気用開口７２は、ダクト１３ａに連通している。
【００３４】
以上のように、ダクト用換気扇１００は本体化粧パネル３０を有し、本体化粧パネル３０が実施の形態１において説明した化粧パネル３１であるから、風量調節板６０ａ、６０ｂの「ばたつき」による騒音発生が抑制され、さらに、風量調節板６０ａ、６０ｂが確実に保持され続けるため、吸込み風量を適正に保ち続けることができ品質の向上を図ることができるから、ダクト用換気扇１００は、騒音発生が抑制され、吸込み風量を適正に保ち続けることができる。また、これによって、副吸込み用化粧パネル７０からの吸込み風量を調整することができるから、換気性能の向上を図ることができる。
なお、以上は、他室が１室の場合を示しているが、本発明はこれに限定するものではなく、２室以上であってもよいし、他室がない場合（０室）であってもよい。
【００３５】
以上のように、本発明にかかる化粧パネル３１は、各種ダクト用換気扇などの本体に吊支持される化粧パネルに有用である。
【符号の説明】
【００３６】
１２  吐出口、１３ａ  ダクト、１３ｂ  ダクト、１４  吸込み口、１５  多翼式送風機、１６  モーター、１７  ファン、１８  フランジ、２１  ボディ、２２  ファンケーシング、２３ａ  ダクト接続枠、２３ｂ  ダクト接続枠、２４ａ  シャッター、２４ｂ  シャッター、２６  係止部、３０  本体化粧パネル（実施の形態２）、３１  化粧パネル（実施の形態１）、３２  通気用開口、３３ａ  調節板係り突起、３３ｂ  調節板係り突起、３４ａ  調節板係り突起、３４ｂ  調節板係り突起、４２  捩りバネ、４３  コイル部、４４  係止腕部、４５  固定ピン、４６  格子、５０ａ  バネ保持片、５０ｂ  バネ保持片、５０ｃ  バネ保持片、５０ｄ  バネ保持片、５１ａ  外側保持片、５１ｂ  外側保持片、５１ｃ  外側保持片、５１ｄ  外側保持片、５２ａ  貫通孔、５２ｂ  貫通孔、５２ｃ  貫通孔、５２ｄ  貫通孔、５３ａ  内側保持片、５３ｂ  内側保持片、５３ｃ  内側保持片、５３ｄ  内側保持片、５４ａ  貫通孔、５４ｂ  貫通孔、５４ｃ  貫通孔、５４ｄ  貫通孔、５５ｃ  バネ保持片フランジ、５５ｄ  バネ保持片フランジ、５６ｃ  リブ、５６ｄ  リブ、５７ｃ  リブフランジ、５７ｄ  リブフランジ、６０ａ  風量調節板、６０ｂ  風量調節板、６１ａ  調節板通風部、６１ｂ  調節板通風部、６２ａ  調節板重なり部、６２ｂ  調節板重なり部、６３ａ  調節板本体部、６３ｂ  調節板本体部、６４ａ  調節板係り孔、６４ｂ  調節板係り孔、６５ａ  調節板係り孔、６５ｂ  調節板係り孔、６６ａ  調節板逃げ部、６６ｂ  調節板逃げ部、７０  副吸込み用化粧パネル（実施の形態２）、７２  副吸込み用通気用開口、１００  ダクト用換気扇（実施の形態２）。
【図１】
0005743956.tif 000002
【図２】
0005743956.tif 000003
【図３】
0005743956.tif 000004
【図４】
0005743956.tif 000005
【図５】
0005743956.tif 000006
【図６】
0005743956.tif 000007